【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
画像データをネットワークを介して画像データ受信装置に送信する画像データ送信装置であって、
撮像手段によって撮像される撮像データを符号化して前記画像データを生成する符号化手段と、
前記撮像手段が前記撮像データを生成するための設定値を設定する命令を前記画像データ受信装置から受信する受信手段と、
前記受信手段が受信した前記命令に応じて、前記撮像手段が前記撮像データを生成するための設定値と前記符号化手段が前記画像データを生成するための設定値とを更新する更新手段と、
前記撮像データを生成するための設定値を所定の設定値に更新する場合に所定の再起動処理を行う制御手段と、
前記ネットワークを介して前記画像データ送信装置が前記ネットワークに接続したことを示す通知を行う通知手段と
を有し、
前記受信手段が受信した前記命令に応じて前記撮像データを生成するための設定値を更新した場合、前記制御手段によって前記再起動処理を行い、前記通知手段によって前記通知を行う
ことを特徴とする画像データ送信装置。
【請求項２】
画像データをネットワークを介して画像データ受信装置に送信する画像データ送信装置であって、
撮像手段によって撮像される撮像データを符号化して前記画像データを生成する符号化手段と、
前記撮像手段が前記撮像データを生成するための設定値を設定する命令を前記画像データ受信装置から受信する受信手段と、
前記受信手段が受信した前記命令に応じて、前記撮像手段が前記撮像データを生成するための設定値と前記符号化手段が画像データを生成するための設定値とを更新する更新手段と、
前記撮像データを生成するための設定値を所定の設定値に更新する場合に所定の再起動処理を行う制御手段と、
前記画像データ受信装置に前記画像データを生成するための設定値を取得させるための通知を前記ネットワークを介して行う通知手段と
を有し、
前記受信手段が受信した前記命令に応じて前記撮像データを生成するための設定値を更新した場合、前記制御手段によって前記再起動処理を行い、前記通知手段によって前記通知を行う
ことを特徴とする画像データ送信装置。
【請求項３】
前記更新手段は、前記撮像データを生成するために設定されたフレームレート以下となるように、前記画像データを生成するための設定値を更新することを特徴とする請求項１又は２に記載の画像データ送信装置。
【請求項４】
前記受信手段は、前記通知を受信した前記画像データ受信装置から前記更新手段が更新した前記画像データを生成するための設定値の取得要求を受信し、
前記通知手段は、前記更新手段が更新した前記画像データを生成するための設定値を前記画像データ受信装置に通知することを特徴とする請求項１又は２に記載の画像データ送信装置。
【請求項５】
前記通知手段は、前記受信手段が受信した前記命令に応じて前記画像データを生成するための設定値が変化しない場合、前記画像データ受信装置に対して前記通知を行わない
ことを特徴とする請求項１又は２に記載の画像データ送信装置。
【請求項６】
画像データをネットワークを介して画像データ受信装置に送信する画像データ送信装置であって、
撮像手段によって撮像される撮像データを符号化して前記画像データを生成する符号化手段と、
前記符号化手段が前記画像データを生成するための設定値を設定する命令を前記画像データ受信装置から受信する受信手段と、
前記受信手段が受信した前記命令に応じて、前記画像データを生成するための設定値と前記撮像データを生成するための設定値とを更新する更新手段と、
前記撮像手段が前記撮像データを生成するための設定値を所定の設定値に更新する場合に所定の再起動処理を行う制御手段と、
前記ネットワークを介して所定の通知を行う通知手段と
を有し、
前記受信手段が受信した前記命令に応じて前記撮像データを生成するための設定値を更新した場合、前記制御手段によって前記再起動処理を行い、前記通知手段によって前記通知を行う
ことを特徴とする画像データ送信装置。
【請求項７】
撮像手段によって撮像される撮像データを符号化して画像データを生成する符号化手段を有する画像データ送信装置からネットワークを介して前記画像データを受信する画像データ受信装置であって、
前記撮像手段が前記撮像データを生成するための設定値を設定する命令を前記画像データ送信装置に送信する送信手段と、
前記画像データ送信装置が前記ネットワークに接続したことを示す通知を前記ネットワークを介して受信する受信手段と
を有し、
前記受信手段は、前記送信手段が送信した前記命令に応じて前記撮像手段が前記撮像データを生成するための設定値が前記画像データ送信装置に設定された場合、前記画像データ送信装置において所定の再起動処理が行われた後に送信される前記通知を受信する、
ことを特徴とする画像データ受信装置。
【請求項８】
撮像手段によって撮像される撮像データを符号化して画像データを生成する符号化手段を有する画像データ送信装置からネットワークを介して前記画像データを受信する画像データ受信装置であって、
前記撮像手段が前記撮像データを生成するための設定値を設定する命令を前記画像データ送信装置に送信する送信手段と、
前記画像データ受信装置に前記画像データを生成するための設定値を取得させるための通知を前記ネットワークを介して受信する受信手段と
を有し、
前記受信手段は、前記送信手段が送信した前記命令に応じて前記撮像手段が前記撮像データを生成するための設定値が前記画像データ送信装置に設定された場合、前記画像データ送信装置において所定の再起動処理が行われた後に送信される前記通知を受信する、
ことを特徴とする画像データ受信装置。
【請求項９】
撮像手段によって撮像される撮像データを符号化して画像データを生成する符号化手段を有する画像データ送信装置からネットワークを介して前記画像データを受信する画像データ受信装置であって、
前記符号化手段が前記画像データを生成するための設定値を設定する命令を前記画像データ送信装置に送信する送信手段と、
所定の通知を前記ネットワークを介して受信する受信手段と
前記受信手段は、前記送信手段が送信した前記命令に応じて前記撮像手段が前記撮像データを生成するための設定値が前記画像データ送信装置に設定された場合、前記画像データ送信装置において所定の再起動処理が行われた後に送信される、前記更新に応じた通知を受信する、
ことを特徴とする画像データ受信装置。
【請求項１０】
撮像手段によって撮像される撮像データを符号化して画像データを生成する符号化手段を有する画像データ送信装置からネットワークを介して前記画像データを受信する画像データ受信装置であって、
前記撮像手段が前記撮像データを生成するための設定値を設定するためのグラフィカルユーザインタフェースを表示する第１の設定領域と、前記符号化手段が前記画像データを生成するための設定値を設定するためのグラフィカルユーザインタフェースを表示する第２の設定領域とを有する設定画面を表示手段に表示する表示制御手段と、
前記撮像データを生成するための設定値を前記第１の設定領域に表示されるグラフィカルユーザインタフェースを介して変更したときに、前記変更した前記撮像データを生成するための設定値を設定する命令を前記画像データ送信装置に送信する送信手段と、
前記画像データ送信装置が前記ネットワークに接続したことを示す通知を前記命令の送信に応じて受信する受信手段とを有し、
前記送信手段は、前記通知を受信した場合に前記画像データを生成するための設定値の取得要求を前記画像データ送信装置に送信し、
前記表示制御手段は、前記取得要求により取得した前記画像データを生成するための設定値を前記第２の設定領域に表示されるグラフィカルユーザインタフェースに表示させることを特徴とする画像データ受信装置。
【請求項１１】
撮像手段によって撮像される撮像データを符号化して画像データを生成する符号化手段を有する画像データ送信装置からネットワークを介して前記画像データを受信する画像データ受信装置であって、
前記撮像手段が前記撮像データを生成するための設定値を設定するためのグラフィカルユーザインタフェースを表示する第１の設定領域と、前記符号化手段が前記画像データを生成するための設定値を設定するためのグラフィカルユーザインタフェースを表示する第２の設定領域とを有する設定画面を表示手段に表示する表示制御手段と、
前記撮像データを生成するための設定値を前記第１の設定領域に表示されるグラフィカルユーザインタフェースを介して変更したときに、前記変更した前記撮像データを生成するための設定値を設定する命令を前記画像データ送信装置に送信する送信手段と、
前記画像データを生成するための設定値を前記画像データ受信装置に取得させるために前記画像データ送信装置が前記命令に応じて送信した通知を前記命令の送信に応じて受信する受信手段と
を有し、
前記送信手段は、前記通知を受信した場合に前記画像データを生成するための設定値の取得要求を前記画像データ送信装置に送信し、
前記表示制御手段は、前記取得要求により取得した前記画像データを生成するための設定値を前記第２の設定領域に表示されるグラフィカルユーザインタフェースに表示させることを特徴とする画像データ受信装置。
【請求項１２】
撮像手段によって撮像される撮像データを符号化して画像データを生成する符号化手段を有する画像データ送信装置からネットワークを介して前記画像データを受信する画像データ受信装置であって、
前記撮像手段が前記撮像データを生成するための設定値を設定するためのグラフィカルユーザインタフェースを表示する第１の設定領域と、前記符号化手段が前記画像データを生成するための設定値を設定するためのグラフィカルユーザインタフェースを表示する第２の設定領域とを有する設定画面を表示手段に表示する表示制御手段と、
前記画像データを生成するための設定値を前記第２の設定領域に表示されるグラフィカルユーザインタフェースを介して変更したときに、前記変更した前記画像データを生成するための設定値を設定する命令を前記画像データ送信装置に送信する送信手段と、
前記画像データ送信装置により前記撮像データを生成するための設定が変更されたことに応じた通知を前記命令の送信に応じて受信する受信手段と
を有し、
前記送信手段は、前記通知を受信した場合に、前記撮像データを生成するための設定値の取得要求を前記画像データ送信装置に送信し、
前記表示制御手段は、前記取得要求により取得した前記撮像データを生成するための設定値を前記第１の設定領域に表示されるユーザインタフェースに表示させることを特徴とする画像データ受信装置。
【請求項１３】
画像データをネットワークを介して画像データ受信装置に送信する画像データ送信方法であって、
撮像手段によって撮像される撮像データを符号化手段によって符号化して前記画像データを生成する符号化工程と、
前記撮像手段が前記撮像データを生成するための設定値を設定する命令を前記画像データ受信装置から受信する受信工程と、
前記受信工程において受信した前記命令に応じて、前記撮像手段が前記撮像データを生成するための設定値と前記符号化手段が前記画像データを生成するための設定値とを更新する更新工程と、
前記撮像データを生成するための設定値を所定の設定値に更新する場合に所定の再起動処理を行う制御工程と、
前記ネットワークを介して前記画像データ送信装置が前記ネットワークに接続したことを示す通知を行う通知工程と
を有し、
前記受信工程において受信した前記命令に応じて前記撮像データを生成するための設定値を更新した場合に、前記再起動処理を行い、前記通知を行う
ことを特徴とする画像データ送信方法。
【請求項１４】
画像データをネットワークを介して画像データ受信装置に送信する画像データ送信方法であって、
撮像手段によって撮像される撮像データを符号化手段によって符号化して前記画像データを生成する符号化工程と、
前記撮像手段が前記撮像データを生成するための設定値を設定する命令を前記画像データ受信装置から受信する受信工程と、
前記受信工程において受信した前記命令に応じて、前記撮像手段が前記撮像データを生成するための設定値と前記符号化手段が画像データを生成するための設定値とを更新する更新工程と、
前記撮像データを生成するための設定値を所定の設定値に更新する場合に所定の再起動処理を行う制御工程と、
前記画像データ受信装置に前記画像データを生成するための設定値を取得させるための通知を前記ネットワークを介して行う通知工程と
を有し、
前記受信工程において受信した前記命令に応じて前記撮像データを生成するための設定値を更新した場合に、前記再起動処理を行い、前記通知を行う
ことを特徴とする画像データ送信方法。
【請求項１５】
画像データをネットワークを介して画像データ受信装置に送信する画像データ送信方法であって、
撮像手段によって撮像される撮像データを符号化手段によって符号化して前記画像データを生成する符号化工程と、
前記符号化手段が前記画像データを生成するための設定値を設定する命令を前記画像データ受信装置から受信する受信工程と、
前記受信手段が受信した前記命令に応じて、前記画像データを生成するための設定値と前記撮像データを生成するための設定値とを更新する更新工程と、
前記撮像手段が前記撮像データを生成するための設定値を所定の設定値に更新する場合に所定の再起動処理を行う制御工程と、
前記ネットワークを介して所定の通知を行う通知工程と
を有し、
前記受信工程において受信した前記命令に応じて前記撮像データを生成するための設定値を更新した場合に、前記再起動処理を行い、前記通知を行う
ことを特徴とする画像データ送信方法。
【請求項１６】
撮像手段によって撮像される撮像データを符号化手段によって符号化して画像データを生成する符号化手段を有する画像データ送信装置からネットワークを介して前記画像データを受信する画像データ受信方法であって、
前記撮像手段が前記撮像データを生成するための設定値を設定する命令を前記画像データ送信装置に送信する送信工程と、
前記画像データ送信装置が前記ネットワークに接続したことを示す通知を前記ネットワークを介して受信する受信工程と
を有し、
前記送信工程において送信した前記命令に応じて前記撮像手段が前記撮像データを生成するための設定値が前記画像データ送信装置に設定された場合、前記受信工程において、前記画像データ送信装置において所定の再起動処理が行われた後に送信される前記通知を受信する、
ことを特徴とする画像データ受信方法。
【請求項１７】
撮像手段によって撮像される撮像データを符号化手段によって符号化して画像データを生成する符号化手段を有する画像データ送信装置からネットワークを介して前記画像データを受信する画像データ受信方法であって、
前記撮像手段が前記撮像データを生成するための設定値を設定する命令を前記画像データ送信装置に送信する送信工程と、
前記画像データ受信装置に前記画像データを生成するための設定値を取得させるための通知を前記ネットワークを介して受信する受信工程と
を有し、
前記送信工程において送信した前記命令に応じて前記撮像手段が前記撮像データを生成するための設定値が前記画像データ送信装置に設定された場合、前記受信工程において、前記画像データ送信装置において所定の再起動処理が行われた後に送信される前記通知を受信する、
ことを特徴とする画像データ受信方法。
【請求項１８】
撮像手段によって撮像される撮像データを符号化手段によって符号化して画像データを生成する符号化手段を有する画像データ送信装置からネットワークを介して前記画像データを受信する画像データ受信方法であって、
前記符号化手段が前記画像データを生成するための設定値を設定する命令を前記画像データ送信装置に送信する送信工程と、
所定の通知を前記ネットワークを介して受信する受信工程と
前記送信工程において送信した前記命令に応じて前記撮像手段が前記撮像データを生成するための設定値が前記画像データ送信装置に設定された場合、前記受信工程において、前記画像データ送信装置において所定の再起動処理が行われた後に送信される前記更新に応じた通知を受信する、
ことを特徴とする画像データ受信方法。
【請求項１９】
請求項１〜６のいずれか１項に記載の画像データ送信装置の各手段としてコンピュータを機能させることを特徴とするプログラム。
【請求項２０】
請求項７〜１２のいずれか１項に記載の画像データ受信装置の各手段としてコンピュータを機能させることを特徴とするプログラム。
【手続補正２】
【補正対象書類名】明細書
【補正対象項目名】発明の名称
【補正方法】変更
【補正の内容】
【発明の名称】画像データ送信装置、画像データ受信装置、画像データ送信方法、画像データ受信方法、及びプログラム
【手続補正３】
【補正対象書類名】明細書
【補正対象項目名】００１６
【補正方法】変更
【補正の内容】
【００１６】
上述の課題を解決するために、本発明に係る画像データ送信装置は、例えば、画像データをネットワークを介して画像データ受信装置に送信する画像データ送信装置であって、撮像手段によって撮像される撮像データを符号化して前記画像データを生成する符号化手段と、前記撮像手段が前記撮像データを生成するための設定値を設定する命令を前記画像データ受信装置から受信する受信手段と、前記受信手段が受信した前記命令に応じて、前記撮像手段が前記撮像データを生成するための設定値と前記符号化手段が前記画像データを生成するための設定値とを更新する更新手段と、前記撮像データを生成するための設定値を所定の設定値に更新する場合に所定の再起動処理を行う制御手段と、前記ネットワークを介して前記画像データ送信装置が前記ネットワークに接続したことを示す通知を行う通知手段とを有し、前記受信手段が受信した前記命令に応じて前記撮像データを生成するための設定値を更新した場合、前記制御手段によって前記再起動処理を行い、前記通知手段によって前記通知を行う。
また、上述の課題を解決するために、本発明に係る画像データ受信装置は、例えば、撮像手段によって撮像される撮像データを符号化して画像データを生成する符号化手段を有する画像データ送信装置からネットワークを介して前記画像データを受信する画像データ受信装置であって、前記撮像手段が前記撮像データを生成するための設定値を設定する命令を前記画像データ送信装置に送信する送信手段と、前記画像データ送信装置が前記ネットワークに接続したことを示す通知を前記ネットワークを介して受信する受信手段とを有し、前記受信手段は、前記送信手段が送信した前記命令に応じて前記撮像手段が前記撮像データを生成するための設定値が前記画像データ送信装置に設定された場合、前記画像データ送信装置において所定の再起動処理が行われた後に送信される前記通知を受信する。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】